(57)【要約】【課題】ガラス戸からの賊の侵入を素早く、かつ確実に検出でき防犯の完全化を図るガラス戸を基にした防犯システム及びその防犯ガラス構造を提供する。【解決手段】複層のガラス１２の表面側（外側）のガラス１３内には導電線７が配線され、この導電線７は警報発信部１に連結される。この導電線の切断により、警報発信部１の警報部４及び信号発信部５から警報及び信号が発せられる。信号は遠隔地の防犯機関６に連結される。導電線７は表面側のガラス１３に配線されているため警報や信号はその部分のみの破壊時において発せられ、早い時点で賊の侵入が検出される。【選択図】　　　図２
2004127180.tif 000002
【特許請求の範囲】
【請求項１】
ガラスを破壊しての賊の侵入を防ぐための防犯システムであって、該防犯システムは、複層構造のガラス体の表面側のガラスのみが破壊された時点で警報が発生し、同時に発信信号が遠隔地の防犯機関に伝達されることを特徴とするガラス戸を基にした防犯システム。
【請求項２】
ガラスを破壊しての賊の侵入を防ぐための防犯システムに用いられる防犯ガラス構造であって、該防犯ガラス構造は、フィルムを含む複層のガラス体と、該ガラス体の表面側のガラス内の錠前部近傍に配線される導電線と、該導電線に連結されガラス枠内に収納される警報発信部とから構成され、該警報発信部は、前記導電線の破断により警報発生及び信号を発信する構造からなることを特徴とするガラス戸を基にした防犯システムに使用される防犯ガラス構造。
【請求項３】
前記警報発信部の電源部がソーラ電力発生機構部や他の電力発生機構部に連結されることを特徴とするガラス戸を基にした防犯システムに使用される防犯ガラス構造。
【請求項４】
前記警報発信部からの発信信号が遠隔地の防犯機関に入力されることを特徴とするガラス戸を基にした防犯システムに使用される防犯ガラス構造。
【発明の詳細な説明】
【０００１】
【発明の属する技術分野】
本発明は、ガラス戸を破壊して侵入する賊の侵入を確実に、かつ素早く防止するためのガラス戸を基にした防犯システム及びその防犯ガラス構造に関する。
【０００２】
【従来の技術】
賊の侵入を予防する手段を有する防犯ガラスとしては、従来より多くのものが採用されている。その公知技術のうち本発明に近似するものとして特開２００１−１２６１５２号公報が挙げられる。この「防犯ガラス」は、図４に模式的に示すように、通電により発熱可能な導電部材をガラス１９の表面に形成し、このガラス１９の両縁部に設けた電極２０，２１にリード線２２，２３を連結し、このリード線２２，２３間に検出部２４を連結する構造からなる。
【０００３】
前記特開２００１−１２６１５２号公報の「防犯ガラス」は、賊が侵入時にガラスを破損して侵入しようとした場合に、前記ガラス１９の前記導電部材が部分的に破壊されるため両電極２０，２１間の電気抵抗値が変化することを利用し、この電気抵抗値の変化を検出部２４により検出してガラスの破損を確認し、賊の侵入を予防するものである。
【０００４】
【発明が解決しようとする課題】
前記公知技術は確かに窓ガラスの破損状態を検出し得るものであるが、前記のように導電部材の電気抵抗値の変化を検出するもので検出精度が不十分となる恐れが十分にある。即ち、信頼性の度合が低い問題点がある。また、少なくともガラスが完全に破壊されないと電気抵抗値の検出が不十分となり、ガラスの破損を正確に検出することが難しい。更に、構造的には前記のように電極２０，２１を必要とし、この分だけ構造が複雑となりコスト高となる。更に、この従来技術や他の従来技術ではガラスがほぼ完全破壊されるまでガラス破壊を検知できず賊等の侵入の発見に時間がかかる問題点がある。
【０００５】
本発明は、以上の問題点を解決するもので、ガラスが少し破壊される初期段階において警報が発生られ、侵入前に予防処理ができ、防犯の完全化が図れると共にコンパクトにまとめられ、交換も容易にできるガラス戸を基にした防犯システム及びその防犯ガラス構造を提供することを目的とする。
【０００６】
【課題を解決するための手段】
本発明は、以上の目的を達成するために、請求項１の発明は、ガラスを破壊しての賊の侵入を防ぐための防犯システムであって、該防犯システムは、複層構造のガラス体の表面側のガラスのみが破壊された時点で警報が発生し、同時に発信信号が遠隔地の防犯機関に伝達されることを特徴とする。表面側のガラスのみが破壊された段階で警報が発せられ、同時に信号が防犯機関に対して発信されるため賊の侵入防止が早い初期に行われ、賊侵入防止の完全化が図れる。
【０００７】
また、本発明の請求項２の発明は、ガラスを破壊しての賊の侵入を防ぐための防犯システムに用いられる防犯ガラス構造であって、該防犯ガラス構造は、フィルムを含む複層のガラス体と、該ガラス体の表面側のガラス内の錠前部近傍に配線される導電線と、該導電線に連結されガラス枠内に収納される警報発信部とから構成され、該警報発信部は、前記導電線の破断により警報発生及び信号を発信する構造からなることを特徴とする。表面側のガラス内に設けられている導電線が表面側のガラスの破壊の時期で切断され、この時点で警報が発せられる。これにより、防犯対応が行われる。
【０００８】
また、本発明の請求項３の発明は、前記警報発信部の電源部がソーラ電力発生機構部やその他の電力発生機構部に連結されることを特徴とする。インターネットや無線等により遠隔地の防犯機関に賊侵入の事実がタイムリに連絡されるため、防犯予防が行われ、少なくともガラスを完全に破壊して侵入する前に侵入防止の処理が行われる。
【０００９】
また、本発明の請求項４の発明は、前記警報発信部からの発信信号が遠隔地の防犯機関に入力されることを特徴とする。防犯機関に連結されることにより、より適切な防犯ができる。
【００１０】
【発明の実施の形態】
以下、本発明のガラス戸を基にした防犯システム及びその防犯ガラス構造の実施の形態を図面を参照して詳述する。図１及び図２は本発明の防犯システムを設けた窓ガラスを示す。窓ガラスはガラス本体９，１０と、この錠前１７と、導電線７と、警報発信部１及び警報発信部１に電力を供給するソーラ電力発生機構部８や例えばドア開閉により作動する電力機構部（図略）等とからなる。
【００１１】
ガラス本体９，１０は図２に示すように、ガラス体１２と、これを囲むガラス枠１１とからなり、ガラス体１２とガラス枠１１の間にはシール部材１６が介設される。また、ガラス体１２はフィルムを含む複層のガラスからなり、本実施の形態では図２に示すように表面側のガラス１３及び裏面側のガラス１５と、これ等のガラス１３，１５間に介設されるフィルム１４からなるが、勿論これに限定するものではない。
【００１２】
導電線７は図１，図２に示すように錠前１７近傍のガラス枠１１の近くにおいて表面側のガラス１３の内部に配線される。なお、この導電線７は警報発信部１に連結される。
【００１３】
警報発信部１は、本実施の形態では電源部２（Ａで示す）、コントロール部３（Ｂで示す）、警報部４（Ｃで示す）及び信号発信部５（Ｄで示す）等とからなるが、勿論、この構造に限定するものではなく、警報に関連するその他の手段も採用される。また、信号発信部５の信号は有線（インターネット）無線（人工衛星）等を介して警備保証会社や警察等の防犯機関に連結されるように構成される。また、警報発信部１の電源部は電池でもよいがソーラ電力発生機構部８に連結され、ソーラ電力を受けるように構成される。また、警報部４や信号発信部５は導電線７の切断時において作動するように構成される。なお、ソーラ電力発生機構部８の替りにドア開閉により作動する任意の電力発生機構部も勿論採用される。
【００１４】
次に、本発明の防犯システムの動作を説明する。賊が家屋に侵入する場合、ガラス戸を破壊して侵入する場合が多い。この場合、ガラス戸全体を破壊するよりも錠前１７のある近傍を破壊する。即ち、錠前近傍のガラス体１２の部分を破壊することにより内部に手を挿入することができ、錠前を開放することができるからである。
【００１５】
図３は、ガラス体１２の錠前１７に近いコーナ部を破壊し破壊部１８を形成した状態を示す。破壊部１８を形成する場合、本発明のような複層のガラス本体９，１０の場合はガラス体１２を一辺に貫通破壊することは難しい。即ち、まず、表面側（外側）のガラス１３の部分が破壊され、次に、フィルム１４の部分が破がれ、引き続き内部側のガラス１５が破壊されることになる。通常、表面側のガラス１３が破壊された後、ガラス体１２の全部が貫通破壊するまでには５〜１０分位の時間が必要になる。
【００１６】
本発明のガラス本体９，１０の場合は、表面側のガラス１３の内部に導電線７が通っている。従って、表面側のガラス１３の部分が破壊されるとこの導電線７が切断する。警報発生部１は導電線７の切断によって警報を発するように構成され、信号発信部５は導電線７の切断により信号を発信するように構成されている。このため、表面側のガラス１３が破壊されると警報が鳴り、周辺の人々の注意を喚起することになる。また、警報により賊はビックリし、破壊作業を中止する。また、中止しなくても、フィルム１４や内側のガラス１５を破壊するのに５〜１０分位かかるため、この間に防犯機関６が対応し、賊を捕獲することができる。以上により、賊の侵入が確実に防止される。
【００１７】
本発明の防犯システムとは直接無関係ではあるが、本発明の防犯ガラスはスペア品を作成することが比較的容易にでき、破壊されたガラス体１２の交換が比較的容易にできる。また、本発明の防犯ガラスに保険をかけることにより、賊侵入により部分的に破壊されたガラス本体を簡単に、かつ安価に交換できる。よって、メンテナンス性の向上が図れる。
【００１８】
【発明の効果】
１）本発明の請求項１の発明によれば、表面側のみのガラス体の破壊の段階で警報が出され、賊の侵入のあきらめや侵入続行に対する防護処置が素早くでき、賊の侵入を効果的に防止することができる。
２）本発明の請求項２の発明によれば、このような防犯ガラスを用いることにより、警報発信が確実に行われ、遠隔地の防犯機関にもタイムリに連結され、進入防止への効果的な対応ができる。
３）本発明の請求項３の発明によれば、電力としてソーラ電力を利用でき、大幅な省エネ化ができる。
４）本発明の請求項４の発明によれば、遠隔地にある防犯機関にタイムリに連絡でき、より適切な防犯ができる。
【図面の簡単な説明】
【図１】本発明の防犯ガラスの全体概要構造図。
【図２】図１のＡ−Ａ線拡大断面図。
【図３】本発明の防犯ガラスの破壊状況を示す模式的平面図。
【図４】従来の防犯ガラスの一例を示す構成図。
【符号の説明】
１　　警報発信部
２　　電源部
３　　コントロール部
４　　警報部
５　　信号発信部
６　　防犯機関
７　　導電線
８　　ソーラ電力発生機構部
９　　ガラス本体
１０　ガラス本体
１１　ガラス枠
１２　ガラス体
１３　ガラス
１４　フィルム
１５　ガラス
１６　シール部材
１７　錠前
１８　破壊部
【図１】
2004127180.tif 000003
【図２】
2004127180.tif 000004
【図３】
2004127180.tif 000005
【図４】
2004127180.tif 000006